(57)【特許請求の範囲】
【請求項１】
柱状の排ガス処理体と、
前記排ガス処理体を収容するケーシングと、
前記排ガス処理体と前記ケーシングとの間に挿入された無機繊維からなるマットと
からなる排ガス浄化装置であって、
前記排ガス処理体の長手方向に対して垂直な断面の輪郭は、３〜６個のコーナー部と前記排ガス処理体のコーナー部同士を連結する連結部とから構成され、前記排ガス処理体のコーナー部は曲線からなるとともに、前記排ガス処理体の連結部は直線又は曲線からなり、前記ケーシングの長手方向に対して垂直な断面の輪郭は、前記排ガス処理体と同数のコーナー部と連結部とから構成され、前記それぞれの連結部は、内側に凸となる曲線からなる湾曲部を有し、
前記ケーシングは、前記連結部と同数のケーシング用部材であって、湾曲部を有するものを接合することにより製造されていることを特徴とする排ガス浄化装置。
【請求項２】
前記ケーシングの連結部を構成する湾曲部の両側に存在する２点（Ｐ１、Ｐ２）が共有する接線Ｘを引き、前記接線と前記湾曲部の距離が最大となるケーシング上の点Ｍを求め、点Ｍと接線Ｌとの距離をＤ１、点Ｍと排ガス処理体の連結部との距離をＤ２とし、湾曲度（％）を下記の（１）式により求められる値とした際、前記湾曲度は、５〜９５％である請求項１に記載の排ガス浄化装置。
［Ｄ１／（Ｄ１＋Ｄ２）］×１００（％）・・・（１）
【請求項３】
前記ケーシングの接合部は外側に突出するとともに、前記接合部の近傍には空隙が形成され、前記空隙の少なくとも一部に前記マットが挿入されている請求項１又は２に記載の排ガス浄化装置。
【請求項４】
前記排ガス処理体の長手方向に対して垂直な断面において、前記排ガス処理体の連結部は直線、又は、前記排ガス処理体の外側に凸となる曲線からなる請求項１〜３のいずれかに記載の排ガス浄化装置。
【請求項５】
前記ケーシングのコーナー部の数は４個である請求項１〜４のいずれかに記載の排ガス浄化装置。
【請求項６】
前記排ガス処理体は、前記排ガス処理体のコーナー部と、前記ケーシングのコーナー部とが相対するように前記ケーシング内に収容されてなる請求項１〜５のいずれかに記載の排ガス浄化装置。
【請求項７】
前記無機繊維は、アルミナ繊維、アルミナ−シリカ繊維、シリカ繊維、及び、生体溶解性繊維からなる群から選択される少なくとも１種である請求項１〜６のいずれかに記載の排ガス浄化装置。
【請求項８】
前記マットには、さらに、ニードルパンチング処理が施されている請求項１〜７のいずれかに記載の排ガス浄化装置。
【請求項９】
長手方向に対して垂直な断面の輪郭が、３〜６個のコーナー部と前記コーナー部同士を連結する連結部とから構成され、前記コーナー部は曲線からなるとともに、前記連結部は直線又は曲線からなる排ガス処理体を準備する工程と、
前記排ガス処理体の側面にマットを巻き付けるマット巻付け工程と、
前記連結部と同数のケーシング用部材であって、湾曲部を有するとともに接合用合わせ部を有するものを、前記湾曲部がマットを押し付け、隣り合う前記ケーシング用部材の前記接合用合わせ部が互いに対向するように配置するケーシング用部材配置工程と、
隣り合う前記ケーシング用部材の前記接合用合わせ部を接合してケーシングを作製する接合工程とからなることを特徴とする排ガス浄化装置の製造方法。
【請求項１０】
前記ケーシング用部材配置工程において、対向する前記接合用合わせ部の間にマットの一部を挿入する請求項９に記載の排ガス浄化装置の製造方法。
【請求項１１】
前記排ガス処理体のコーナー部の数は４個であり、前記接合工程において、４個のケーシング用部材を接合してケーシングを作製する請求項９又は１０に記載の排ガス浄化装置の製造方法。
【発明の詳細な説明】
【技術分野】
【０００１】
本発明は、排ガス浄化装置及びその製造方法に関する。
【背景技術】
【０００２】
ディーゼルエンジン等の内燃機関から排出される排ガス中には、スス等のパティキュレートマター（以下、ＰＭともいう）が含まれており、近年、このＰＭが環境及び人体に害を及ぼすことが問題となっている。また、排ガス中には、ＣＯ、ＨＣ及びＮＯｘ等の有害なガス成分も含まれていることから、この有害なガス成分が環境及び人体に及ぼす影響についても懸念されている。
【０００３】
そこで、排ガス中のＰＭを捕集したり、有害なガス成分を浄化したりする排ガス浄化装置として、炭化ケイ素又はコージェライト等の多孔質セラミックからなる排ガス処理体と、排ガス処理体を収容するケーシングと、排ガス処理体とケーシングとの間に配設される無機繊維からなるマットとから構成される排ガス浄化装置が種々提案されている。
【０００４】
この排ガス浄化装置に用いられるマットは、自動車の走行等により生じる振動や衝撃により、排ガス処理体がその外周を覆うケーシングと接触して破損することを防止すること、排ガス処理体をしっかりと保持して排ガス浄化装置の内部から排ガス処理体が抜け出るのを防止すること、及び、排ガス処理体とケーシングとの間から排気ガスが漏れることを防止すること等を主な目的として配設されている。
【０００５】
特許文献１には、排ガス処理の１種である触媒担体の外周に緩衝部材を巻回して筒状部材内に収容し、該筒状部材の軸を中心とした回転を阻止するように上記筒状部材を固定し、上記筒状部材の少なくとも上記緩衝部材の一部を含む範囲に対し、上記筒状部材の外周回りに均等に配置し、上記筒状部材の外周回りを同径の円形軌跡にて公転すると共に上記筒状部材の径方向に駆動する複数のスピニングローラによってスピニング加工を行ない、上記筒状部材と共に上記緩衝部材を縮径して触媒担体を支持することを特徴とする触媒コンバータの製造方法が開示されている。
【０００６】
また、特許文献２には、内燃機関の排気ガスを浄化する触媒を担持したセラミックス製の触媒担体と、上記触媒担体を収容する外筒と、上記外筒と上記触媒担体との間に介設されるマットとを備え、上記外筒内において、上記触媒担体及び上記マットが圧迫された状態で収容され、圧入された上記マットの上記触媒担体及び上記外筒に作用する反発力によって上記触媒担体を保持していることを特徴とする触媒装置が開示されている。
【先行技術文献】
【特許文献】
【０００７】
【特許文献１】特開２００１−１０７７２５号公報
【特許文献２】特開２００９−２４３４１７号公報
【発明の概要】
【発明が解決しようとする課題】
【０００８】
特許文献１に記載された触媒担体の断面が略四角である場合には、スピニングローラによって上記円筒体（ケーシング）を断面が略四角形状となるようにスピニング加工を行なう必要がある。
しかしながら、スピニング加工により発生する力を吸収しきれず、上記ケーシングに座屈や変形が発生し易く、上記スピニング加工によりケーシングの形状を寸法精度よく加工することができないという問題があった。
また、上記スピニング加工によってマットに必要以上の負荷がかかるため、圧入直後の保持力に比べて所定期間経過後では、マットの保持力が低下してしまうスプリングバックという現象が発生する。そのため、スプリングバックを見込んだ過圧縮の必要性が生じてしまうという問題があった。
【０００９】
特許文献２に記載されているように、マットが巻き付けられた触媒担体を外筒（ケーシング）に圧入する場合、触媒担体の断面が略四角形であると、上記ケーシングに残留応力が発生し、ケーシングと触媒担体のコーナー部における形状の違いに起因して、圧入後にケーシングに変形が生じ、ケーシングの形状を寸法精度よく加工することができない。
また、上記圧入によってマットに負荷がかかるため、特許文献１の場合と同様に、スプリングバックが発生し易く、スプリングバックを見込んだ過圧縮の必要性が生じてしまうという問題があった。
【００１０】
本発明は、上記問題を解決するためになされたものであり、マットの保持力が低下しにくく、一定の保持力を維持することができる排ガス浄化装置及び過圧縮の必要のない排ガス浄化装置の製造方法を提供することを目的とする。
【課題を解決するための手段】
【００１１】
上記目的を達成するために、本発明の排ガス浄化装置は、柱状の排ガス処理体と、上記排ガス処理体を収容するケーシングと、上記排ガス処理体と上記ケーシングとの間に挿入された無機繊維からなるマットとからなる排ガス浄化装置であって、上記排ガス処理体の長手方向に対して垂直な断面の輪郭は、３〜６個のコーナー部と上記排ガス処理体のコーナー部同士を連結する連結部とから構成され、上記排ガス処理体のコーナー部は曲線からなるとともに、上記排ガス処理体の連結部は直線又は曲線からなり、上記ケーシングの長手方向に対して垂直な断面の輪郭は、上記排ガス処理体と同数のコーナー部と連結部とから構成され、上記それぞれの連結部は、内側に凸となる曲線からなる湾曲部を有することを特徴とする。
【００１２】
本明細書において、排ガス処理体のコーナー部とは、以下の部分のことをいう。
まず、排ガス処理体の長手方向に対して垂直な断面において、輪郭が曲線となる部分における曲率半径の最小値を求める。該輪郭が曲線となる部分において、曲率半径が上記曲率半径の最小値の８倍以下である連続する部分が、排ガス処理体のコーナー部である。輪郭が曲線となる部分において、曲率半径の最小値を求めるとは、曲線が複数の曲率半径の曲線から構成されている場合に、その最小値を求めるとの意味であり、単一の曲率半径の曲線から構成されている場合には、その曲線部分がコーナー部となる。
また、本明細書において、排ガス処理体の連結部とは、排ガス処理体の長手方向に対して垂直な断面の輪郭において、上記コーナー部同士を連結する曲線の部分又は直線の部分のことをいい、上記したコーナー部が決まれば、それ以外の部分が連結部となる。排ガス処理体の連結部は、直線のみ又は曲線のみから構成されていてもよく、直線と曲線との両方から構成されていてもよい。
【００１３】
上記ケーシングの連結部は、内側に凸となる曲線からなる湾曲部を有するとは、上記連結部に対し、上記連結部の両側に存在する２点（Ｐ１、Ｐ２）が共有する接線を引いた際、上記湾曲部が上記接線より排ガス処理体側に存在することを意味する。上記湾曲部の形状は、隣り合う２個のコーナー部の半分の距離の点を中心とした点対称であることが望ましい。マットを介して排ガス処理体に圧力が均等にかかり易いからである。
なお、ケーシングの連結部は、上記した接線を引いた際に接線と接触する点Ｐ１と点Ｐ２の間の部分をいうものとし、その他の部分を連結部というものとする（図１（ａ）参照）。
【００１４】
上記排ガス浄化装置によれば、上記それぞれの連結部は、内側に凸となる曲線からなる湾曲部を有し、上記湾曲部に相当する部分で排ガス処理体とケーシングとの間に挿入されたマットに圧力をかけているので、適切にマットを介して排ガス処理体に圧力をかけて保持することができ、排ガス浄化装置は、排ガス処理体に対する一定の保持力を維持することができる。
【００１５】
本発明の排ガス浄化装置では、上記ケーシングの連結部を構成する湾曲部の両側に存在する２点（Ｐ１、Ｐ２）が共有する接線Ｘを引き、上記接線と上記湾曲部の距離が最大となるケーシング上の点Ｍを求め、点Ｍと接線Ｌとの距離をＤ１、点Ｍと排ガス処理体の連結部との距離をＤ２とし、湾曲度（％）を下記の（１）式により求められる値とした際、上記湾曲度は、５〜９５％であることが望ましい。
［Ｄ１／（Ｄ１＋Ｄ２）］×１００（％）・・・（１）
本発明の排ガス浄化装置において、上記湾曲度を５〜９５％に設定しているので、排ガス処理体とケーシングとの間に挿入されたマットを介して排ガス処理体により適切に圧力をかけることができる。
【００１６】
本発明の排ガス浄化装置では、上記ケーシングは、上記連結部と同数のケーシング用部材であって、湾曲部を有するものを接合することにより製造されていることが望ましい。
上記排ガス浄化装置において、マットが巻き付けられた排ガス処理体の周囲に湾曲部を有するケーシング用部材を配置して接合していると、上記湾曲部がマットを常に押している状態を維持できるので、上記スプリングバックが発生しにくく、スプリングバックを見込んだ過圧縮の必要がない。
【００１７】
本発明の排ガス浄化装置では、上記ケーシングの接合部は外側に突出するとともに、上記ケーシングの接合部分の近傍には空隙が形成され、上記空隙の少なくとも一部に上記マットが挿入されていることが望ましい。
上記排ガス浄化装置において、上記ケーシングの接合部分の近傍には空隙が形成され、上記空隙の少なくとも一部に上記マットが挿入されていると、排ガスが通過し易い接合部分の近傍で排ガスに漏れが発生しにくい。なお、接合部分は、通常、コーナー部又はその近傍となる。
【００１８】
本発明の排ガス浄化装置では、上記排ガス処理体の長手方向に対して垂直な断面において、上記排ガス処理体の連結部は直線、又は、上記排ガス処理体の外側に凸となる曲線からなることが望ましい。
本発明の排ガス浄化装置において、上記排ガス処理体が上記のような形状であると、排ガス処理体とケーシングとの間に挿入されたマットを介して排ガス処理体に適切に圧力をかけて保持することができる。
【００１９】
本発明の排ガス浄化装置では、上記ケーシングのコーナー部の数は４個であることが望ましい。
本発明の排ガス浄化装置において、上記ケーシングのコーナー部の数は４個であると、排ガス処理体は、略四角柱形状となり、ケーシングの輪郭も略四角形状と安定的な形状となり、マットを介して排ガス処理体を一定の保持力で安定的に保持することができる。
【００２０】
本発明の排ガス処理装置では、上記排ガス処理体は、上記排ガス処理体のコーナー部と、上記ケーシングのコーナー部とが相対するように上記ケーシング内に収容されてなることが望ましい。
【００２１】
本発明の排ガス浄化装置では、上記無機繊維は、アルミナ繊維、アルミナ−シリカ繊維、シリカ繊維、及び、生体溶解性繊維からなる群から選択される少なくとも１種であることが望ましい。
本発明の排ガス浄化装置において、上記した種類の無機繊維を使用することにより、上記無機繊維が使用されたマットは、保持力に優れ、排ガス処理体をしっかりと保持することができる。
【００２２】
本発明の排ガス浄化装置では、上記マットには、さらに、ニードルパンチング処理が施されていることが望ましい。
【００２３】
本発明の排ガス浄化装置では、マットにニードルパンチング処理を施すことにより、無機繊維同士の交絡が発生し、マットの強度が向上する。そのため、マットに亀裂等が発生しにくくなる。
【００２４】
本発明の排ガス浄化装置の製造方法は、上記長手方向に対して垂直な断面の輪郭が、３〜６個のコーナー部と上記コーナー部同士を連結する連結部とから構成され、上記コーナー部は曲線からなるとともに、上記直線又は曲線からなる排ガス処理体を準備する工程と、上記排ガス処理体の側面にマットを巻き付けるマット巻付け工程と、上記連結部と同数のケーシング用部材であって、湾曲部を有するとともに接合用合わせ部を有するものを、上記湾曲部がマットを押し付け、隣り合う上記ケーシング用部材の上記接合用合わせ部が互いに対向するように配置するケーシング用部材配置工程と、隣り合う上記ケーシング用部材の上記接合用合わせ部を接合してケーシングを作製する接合工程とからなることを特徴とする。
【００２５】
本発明の排ガス浄化装置の製造方法においては、湾曲部を有するとともに接合用合わせ部を有するケーシング用部材を、上記湾曲部がマットを押し付け、隣り合う上記ケーシング用部材の上記接合用合わせ部が互いに対向するように配置した後、上記ケーシング用部材の上記接合用合わせ部を接合してケーシングを作製するので、マットにスプリングバックが発生しにくく、得られた排ガス浄化装置では、適切にマットを介して排ガス処理体に圧力をかけて保持することができ、排ガス処理体に対する一定の保持力を維持することができる。
【００２６】
本発明の排ガス浄化装置の製造方法では、上記ケーシング用部材配置工程において、対向する上記接合用合わせ部の間にマットの一部を挿入することが望ましい。
本発明の排ガス浄化装置の製造方法において、上記のようにすると、接合部の近傍における排ガスの漏れを確実に防止することができる。
【００２７】
本発明の排ガス浄化装置の製造方法では、上記排ガス処理体のコーナー部の数は４個であり、上記接合工程において、４個のケーシング用部材を接合してケーシングを作製することが望ましい。
【００２８】
本発明の排ガス浄化装置の製造方法において、上記構成の排ガス浄化装置を製造すると、排ガス処理体は、略四角柱形状となり、ケーシングの輪郭も略四角形状と安定的な形状となり、得られた排ガス浄化装置では、マットを介して排ガス処理体を一定の保持力で安定的に保持することができる。
【図面の簡単な説明】
【００２９】
【図１】図１（ａ）は、本発明の排ガス浄化装置の一例を模式的に示す断面図であり、本発明の排ガス浄化装置を構成する排ガス処理体の長手方向に垂直な断面を示している。図１（ｂ）は、図１（ａ）に示す排ガス浄化装置のＡ−Ａ線断面図である。
【図２】図２は、図１（ａ）に示す排ガス浄化装置の断面図の一部を拡大して示す拡大断面図である。
【図３】図３は、排ガス処理体を排ガス処理体の長手方向に対して垂直な方向に切断して模式的に示す断面図である。
【図４】図４は、本発明の排ガス浄化装置を構成するマットの一例を模式的に示す斜視図である。
【図５】図５は、上記排ガス浄化装置の製造工程におけるマット巻付け工程を模式的に示した斜視図である。
【図６】図６は、本発明の排ガス浄化装置の製造方法におけるケーシング用部材配置工程を模式的に示した断面図である。
【図７】図７は、本発明の排ガス浄化装置の別の一例を、排ガス浄化装置の長手方向に対して垂直に切断して模式的に示す断面図である。
【００３０】
（発明の詳細な説明）
以下、本発明について具体的に説明する。しかしながら、本発明は、以下の記載に限定されるものではなく、本発明の要旨を変更しない範囲において適宜変更して適用することができる。なお、以下において記載する本発明の個々の望ましい構成を２つ以上組み合わせたものもまた本発明である。
【００３１】
本発明の排ガス浄化装置は、柱状の排ガス処理体と、上記排ガス処理体を収容するケーシングと、上記排ガス処理体と上記ケーシングとの間に挿入された無機繊維からなるマットとからなる排ガス浄化装置であって、上記排ガス処理体の長手方向に対して垂直な断面の輪郭は、３〜６個のコーナー部と上記排ガス処理体のコーナー部同士を連結する連結部とから構成され、上記排ガス処理体のコーナー部は曲線からなるとともに、上記排ガス処理体の連結部は直線又は曲線からなり、上記ケーシングの長手方向に対して垂直な断面の輪郭は、上記排ガス処理体と同数のコーナー部と連結部とから構成され、上記それぞれの連結部は、内側に凸となる曲線からなる湾曲部を有することを特徴とする。
【００３２】
以下、図１に示す排ガス浄化装置を本発明の一例として説明する。
図１（ａ）は、本発明の排ガス浄化装置の一例を模式的に示す断面図であり、上記排ガス浄化装置を構成する排ガス処理体の長手方向に垂直な断面を示している。また、図１（ｂ）は、図１（ａ）に示す排ガス浄化装置のＡ−Ａ線断面図である。
【００３３】
図１に示すように、本発明の排ガス浄化装置１０では、ケーシング３０の内部に排ガス処理体２０が収容されており、排ガス処理体２０とケーシング３０との間には、無機繊維からなるマット４０が挿入され、このマット４０とケーシング３０により排ガス処理体２０がケーシング３０から抜け出さないようにしっかりと保持されている。
【００３４】
排ガス処理体２０は、略四角柱状であり、排ガス処理体２０の長手方向に対して垂直な断面の輪郭は、４個のコーナー部２６ａとコーナー部２６ａ同士を連結する連結部２７ａとから構成されており、コーナー部２６ａは曲線からなり、一方、コーナー部２６ａ同士を連結する連結部２７ａは、直線からなる。
【００３５】
まず、本発明の排ガス浄化装置を構成するケーシングについて説明する。
本発明の排ガス浄化装置を構成するケーシング３０は、ＳＵＳ等の金属からなる管状体であり、ケーシング３０の長手方向に対して垂直な断面の輪郭は、排ガス処理体２０と同数の４個のコーナー部３１ａと４個の連結部３２ａとから構成され、それぞれの連結部３２ａは、図１（ａ）に示すように、内側に凸となる曲線からなる湾曲部３２０ａを有している。また、図１（ｂ）に示しているように、ケーシング３０の排出ガス入口側と排出ガス出口側は、次第に径が小さくなっており、排気管と連結できるように構成されている。
【００３６】
連結部３２ａが内側に凸となる曲線からなる湾曲部３２０ａを有しているとは、図１（ａ）に示すように、連結部３２ａの両側に存在する２点（Ｐ１、Ｐ２）が共有する接線Ｘを引いた際、連結部３２ａを構成する湾曲部３２０ａが接線Ｘより排ガス処理体２０側に存在することを意味している。
【００３７】
本発明の排ガス浄化装置１０では、４個の連結部３２ａは、内側に凸となる曲線からなる湾曲部３２０ａを有し、この湾曲部３２０ａにより排ガス処理体２０とケーシング３０との間に挿入されたマット４０に圧力をかけているので、マット４０を介して排ガス処理体２０に適切な圧力をかけて排ガス処理体２０を保持することができ、排ガス浄化装置１０は、排ガス処理体２０に対する一定の保持力を維持することができる。
【００３８】
ケーシング３０の長手方向に対して垂直な断面の輪郭における湾曲部の形状は、特に限定されるものでないが、隣り合う２個のコーナー部の半分の距離の点を中心とした点対称であることが望ましく、例えば、円弧、楕円形の一部、双曲線を形成していることが望ましい。マットを介して排ガス処理体に圧力が均等にかかり易いからである。
【００３９】
図２は、図１（ａ）に示す排ガス浄化装置の断面図の一部を拡大して示す拡大断面図である。
図２に示すように、ケーシングの連結部を構成する湾曲部の両側に存在する２点（Ｐ１、Ｐ２）が共有する接線Ｘを引き、上記接線と上記湾曲部の距離が最大となるケーシング上の点Ｍを求め、点Ｍと接線Ｌとの距離をＤ１、点Ｍと排ガス処理体の連結部との距離をＤ２とし、湾曲度（％）を下記の（１）式により求められる値とした際、上記湾曲度は、５〜９５％であることが望ましい。
［Ｄ１／（Ｄ１＋Ｄ２）］×１００（％）・・・（１）
なお、点Ｍと排ガス処理体の連結部との距離Ｄ２は、点Ｍと上記連結部との最短距離とする。
【００４０】
また、ケーシング３０は、コーナー部３１ａにおいて、外側に突出する１対の接合用合わせ部を有し、１対の接合用合わせ部が接合されて接合部３１０ａを構成しているものが好ましい。
また、接合部３１０ａでは、図１（ａ）に示すように、接合用合わせ部に起因する空隙３５が形成されており、空隙３５の少なくとも一部にマット４０が挿入されているのが望ましい。接合部３１０ａの空隙３５に、マット４０が挿入されることにより、排気ガスが排ガス浄化装置１０の内部を流通しているときに、コーナー部３１ａの近傍で排気ガスが漏れるのを防止することができる。
本発明の排ガス浄化装置の製造方法については、後で詳しく説明する。
【００４１】
次に、本発明の排ガス浄化装置を構成する排ガス処理体について説明する。
上記排ガス処理体２０は、ディーゼルエンジン等の内燃機関から排出される排ガス中のＰＭを捕集する機能を有するもの、又は、上記排ガス中の有害なガス成分を無害なガス成分に転換する機能を有するものであるが、上述した２つの機能を有するものであってもよい。
【００４２】
本発明では、上記排ガス中のＰＭを捕集する機能を有するものを排ガス浄化フィルタといい、上記排ガス中の有害なガス成分を無害なガス成分に転換する機能を有するものを触媒コンバータということとする。
【００４３】
上記排ガス浄化フィルタは、特に限定されるものではなく、例えば、炭化ケイ素又はコージェライト等の多孔質セラミックからなる、いわゆる、ハニカムフィルタと呼ばれるもので、長手方向に多数のセルが併設され、排ガスの入口側か出口側のいずれかが目封止されたもの、板状のものを重ねてフィルタとしたもの、３次元網目構造を有する金属多孔質体からなるもの、セラミックファイバの積層体からなるもの等があげられる。板状のものを重ねてフィルタとしたもの、３次元網目構造を有する金属多孔質体からなるもの、セラミックファイバの積層体からなるもの等は、これらの部材が所定形状の耐熱性容器に収容されており、この場合、上記耐熱性容器が柱状である。
これらのなかでは、炭化ケイ素又はコージェライト等の多孔質セラミックからなり、長手方向に多数のセルが併設され、排ガスの入口側か出口側のいずれかが目封止されたハニカムフィルタが望ましい。
【００４４】
上記ハニカムフィルタは、コージェライト等からなり、一つの多孔質セラミックから一体的に形成された一体型ハニカムフィルタであってもよく、炭化ケイ素等からなる柱状の多孔質セラミックを主にセラミックを含む接着材層を介して複数個結束してなる集合型ハニカムフィルタであってもよい。
【００４５】
上記触媒コンバータは、特に限定されるものではなく、例えば、長手方向に多数のセルが併設された多孔質セラミックに触媒を担持したもの、ペレット状の多孔質セラミックに触媒を担持したもの、金属製の薄いシートを波状に加工したものを担体とし、この担体に触媒を担持したものも等があげられる。ペレット状の担体や金属製のシートを担体としたものでは、これらの担体が耐熱性の容器に収容されており、この場合、上記耐熱性容器が柱状である。
これらのなかでは、長手方向に多数のセルが併設された多孔質セラミックに触媒を担持した触媒コンバータが望ましい。
【００４６】
排ガス処理体に担持されている触媒としては、例えば、白金、パラジウム、ロジウム等の貴金属、カリウム、ナトリウム等のアルカリ金属、バリウム等のアルカリ土類金属、又は、酸化セリウム等の金属酸化物等があげられる。これらの触媒は、単独で用いてもよいし、２種以上を併用してもよい。
【００４７】
次に、排ガス処理体の形状について説明する。
図３は、排ガス処理体を排ガス処理体の長手方向に対して垂直な方向に切断して模式的に示す断面図である。
【００４８】
図３に示すように、排ガス処理体２０の長手方向に対して垂直な断面の輪郭２５は、正方形の角部がＲ面取りされた形状であることが望ましい。この場合、輪郭２５は、４つの曲線２８ａと、これらを連結する４つの直線２９ａとから構成されている。
【００４９】
本発明の排ガス処理体２０のコーナー部は、以下の方法により決定することとする。
曲線２８ａが複数の曲率半径の曲線から構成されている場合、まず、曲線２８ａにおける曲率半径の最小値（ｒ２０）ｍｉｎを求める。得られた曲率半径の最小値（ｒ２０）ｍｉｎの８倍以下である連続する部分が、排ガス処理体のコーナー部２６ａであり、それ以外の部分が連結部２７ａである。
【００５０】
なお、曲率半径とは、曲線や曲面の曲がり具合を表す量である。ある曲線において、その局所的な曲がり具合は円に近似することができ、近似した円の半径を曲率半径という。例えば、半径ｒの円周に近似できる場合は、曲率は１／ｒであり、曲率半径はｒである。曲線の曲がり具合がきついほど曲率は大きくなり曲率半径は小さくなる。
また、株式会社東京精密の３次元座標測定機  ＲＶＡ８００Ａ−Ｘ１等を使用し、排ガス処理体の複数点の位置を測定することにより、曲線を特定することができ、この曲線が円弧である場合には、円弧の曲率半径を求めることができる。
さらに、排ガス処理体の曲率半径を所定の値となるように設計している場合には、断面の写真を撮影して、設計時の曲率半径の曲線と一致しているか否かを確認することにより、曲率半径を得ることができる。
【００５１】
排ガス処理体２０では、曲線２８ａの曲率が一定（円弧）のため、それぞれの曲線部分が、コーナー部２６ａとなる。すなわち、各曲線の始点及び終点が、各コーナー部の始点及び終点である。
また、直線２９ａがそれぞれ連結部２７ａである。排ガス処理体２０において、４つのコーナー部２６ａは、それぞれ、連結部２７ａにより連結されている。
【００５２】
図１及び図３に示した排ガス処理体２０は、排ガス浄化フィルタであり、長手方向に多数のセル２１が形成された複数のフィルタユニットが接着材を介して接着されている。このような構成の排ガス処理体２０では、内燃機関から排出され、排ガス浄化装置１０に流入した排ガス（図１中、排ガスをＧで示し、排ガスの流れを矢印で示す）は、排ガス処理体（ハニカムフィルタ）２０の排ガス流入側端面２０ａに開口した１のセル２１に流入し、セル２１を隔てるセル隔壁２２を通過する。この際、排ガス中のＰＭがセル隔壁２２で捕集され、排ガスが浄化されることとなる。浄化された排ガスは、排ガス流出側端面２０ｂに開口した他のセル２１から流出し、外部に排出される。なお、２３は、目封止部を示している。
【００５３】
排ガス浄化フィルタは、主に炭化ケイ素等の多孔質セラミックからなり、図３に示すように柱状であるが、排ガス浄化フィルタの具体的な形状は特に限定されず、例えば、略三角柱状、略四角柱状、略五角柱、略六角柱等があげられる。この際、排ガス処理体の長手方向に対して垂直な断面の輪郭は、３〜６個のコーナー部と連結部とから構成されており、ケーシングの長手方向に対して垂直な断面の輪郭は、排ガス処理体と同数（３〜６個）のコーナー部と連結部とから構成されている。
【００５４】
本発明の排ガス浄化装置では、ケーシング及び排ガス処理体は、４個のコーナー部を有するものが好ましい。上記排ガス処理体の連結部は直線、又は、上記排ガス処理体の外側に凸となる曲線からなることが望ましい。
なお、図３に示すよう、排ガス浄化フィルタ２０の側面（外周）には、排ガス浄化フィルタ２０の側面を補強したり、形状を整えたり、排ガス浄化フィルタ２０の断熱性を向上させたりする目的で、外周コート層が設けられていてもよい。
【００５５】
次に、排ガス浄化装置を構成するマットについて説明する。
図４は、本発明の排ガス浄化装置を構成するマットの一例を模式的に示す斜視図である。
図４に示すように、マット４０は、所定の長手方向の長さ（以下、単に全長ともいう。図４中、矢印Ｌで示す）、幅（図４中、矢印Ｗで示す）及び厚み（図４中、矢印Ｔで示す）を有する無機繊維を含む平面視矩形のマットである。
【００５６】
また、マット４０は、凸部４１ａが形成された端面４１と、凹部４２ａが形成された端面４２とを備えている。後述するように、マット４０は排ガス処理体２０に巻き付けられることになる。凸部４１ａ及び凹部４２ａは、マット４０を排ガス処理体２０に巻き付けた際に、ちょうど互いに嵌合するような形状となっている。
また、本発明の排ガス浄化装置１０では、接合部３１０ａを構成する空隙３５（図１参照）にマット４０の一部が挿入されていることが好ましい。接合部３１０ａの空隙３５に、マット４０が挿入されることにより、排気ガスが排ガス浄化装置１０の内部を排気ガスが流通しているときに、コーナー部３１ａの近傍で排気ガスが漏れるのを防止することができる。
【００５７】
なお、本発明の排ガス浄化装置に係るマットを構成する無機繊維としては、特に限定されないが、アルミナ繊維、アルミナ−シリカ繊維、シリカ繊維、及び、生体溶解性繊維からなる群から選択される少なくとも１種であることが望ましい。
【００５８】
これら種類の無機繊維が使用されたマットは、保持力に優れ、無機繊維の機械的特性にも優れているので、マットに亀裂や圧壊が発生しにくく、排ガス処理体がしっかりと保持される。
無機繊維の種類は、耐熱性や耐風蝕性等、マットに要求される特性等に応じて変更すればよく、各国の環境規制に適合できるような太径繊維や繊維長のものを使用するのが望ましい。
【００５９】
この中でも、低結晶性アルミナ質の無機繊維が望ましく、ムライト組成の低結晶性アルミナ質の無機繊維がより望ましい。加えて、スピネル型化合物を含む無機繊維がさらに好ましい。高結晶性アルミナ質であると、硬く脆いため、クッション材として用いられるマットには不向きである。
【００６０】
さらに低結晶性アルミナ質かつスピネル型化合物を含む無機繊維の場合、結晶化比率は０．１〜３０％の範囲が望ましく、さらには結晶化比率０．４〜２０％の範囲がさらに好ましい。この範囲の無機繊維で製作されたマットの反発力及び耐久試験後の復元面圧は高く、性能が良い。しかし、結晶化比率が０．１％未満又は３０％を超えると、急激に反発力や復元面圧は急激に低下してしまう。結晶化比率の測定方法は、ムライト回析線（２θ＝２６．４°）とγアルミナ回析線（２θ＝４５．４°）の積分強度比より算出することができる。
【００６１】
マットは、無機繊維からなる素地マットに対してニードルパンチング処理が施されていることが望ましい。ニードルパンチング処理とは、ニードル等の繊維交絡手段を素地マットに対して抜き差しすることをいう。
【００６２】
マットにニードルパンチング処理を施すことにより、無機繊維同士の交絡が発生し、マットの強度が向上する。そのため、マットに亀裂や圧壊が発生しにくくなる。
【００６３】
なお、交絡構造を呈するために、無機繊維はある程度の平均繊維長を有していることが望ましく、例えば、無機繊維の平均繊維長は、４〜１２０ｍｍであることが望ましい。この範囲の平均繊維長であると、ニードルパンチング処理を施した箇所で繊維同士が絡まり、マットの強度を増加させる。好ましいニードルパンチの存在密度は、１００ｃｍ２あたり１０〜５００個である。ニードルパンチの存在密度が１００ｃｍ２あたり１０個未満であると、マットが引き裂かれて分離してしまう。また、ニードルパンチの存在密度が１００ｃｍ２あたり５００個を超えるとマットを曲げにくくなり、排気ガス処理体への巻回時に平面状にマットがなろうとし、紐状部材を付与した際に、紐状部材に大きな張力がかかってしまい、紐状部材が破断したりするので好ましくはない。
【００６４】
また、マットの面比重は、４００ｇ／ｍ２〜２０００ｇ／ｍ２であることが望ましい。マットの面比重が４００ｇ／ｍ２未満であると排ガス浄化装置作動時の振動から排ガス処理体を充分に保護することができないため、排ガス処理体の欠損や、ケーシングから脱落するといった不具合が生じる。また、２０００ｇ／ｍ２を超えると、マットの復元力が強すぎるため、排ガス処理体の強度を上回って破損させてしまう。
【００６５】
マットは、単層構造であってもよく、多層構造であってもよい。マットが多層構造からなる場合には、引掛け部は、複数のマットの同じ位置に形成されていることが望ましい。そうすることで、紐状部材が複数あるマット同士を、はがれないようにさせることができる。通常の多層マットでは、ステッチや接着剤を使用するなどするので、有機分の増加が懸念されるほか、工数が複雑となるので不良の増加や作業効率の低下を招く。
マットが単層構造のマットからなる場合は、マットの厚みＴが５〜１５ｍｍであることが望ましい。
【００６６】
以下、本発明の排ガス浄化装置の製造方法の一例について説明する。
本発明の排ガス浄化装置の製造方法は、前記長手方向に対して垂直な断面の輪郭が、３〜６個のコーナー部と前記コーナー部同士を連結する連結部とから構成され、前記コーナー部は曲線からなるとともに、前記直線又は曲線からなる排ガス処理体を準備する工程と、
前記排ガス処理体の側面にマットを巻き付けるマット巻付け工程と、
前記連結部と同数のケーシング用部材であって、湾曲部を有するとともに接合用合わせ部を有するものを、前記湾曲部がマットを押し付け、隣り合う前記ケーシング用部材の前記接合用合わせ部が互いに対向するように配置するケーシング用部材配置工程と、
隣り合う前記ケーシング用部材の前記接合用合わせ部を接合してケーシングを作製する接合工程とからなることを特徴とする。
【００６７】
本発明の排ガス浄化装置を製造するには、まず、前記長手方向に対して垂直な断面の輪郭が、３〜６個のコーナー部と前記コーナー部同士を連結する連結部とから構成され、前記コーナー部は曲線からなるとともに、前記直線又は曲線からなる排ガス処理体を準備する。
この説明では、図１に示した排ガス処理体２０であって、長手方向に対して垂直な断面の輪郭が正方形の角部がＲ面取りされた形状のものを用いる。
【００６８】
本発明で用いる排ガス処理体については、本発明の排ガス浄化装置の説明で説明した通りであり、従来公知の方法により製造することができる。従って、ここでは、その製造方法の説明を省略する。
【００６９】
次に、マット巻付け工程として、排ガス処理体の側面にマットを巻き付ける。
上記マットについては、本発明の排ガス浄化装置の説明で説明した通りであるが、まず、その作製方法について、以下に説明する。
上記マットを作製する場合には、まず、所定の大きさのマット材を準備する。マット材の材料等については、上述したので、ここでは、その説明を省略する。
【００７０】
上述した構成のマット材には、必要に応じてバインダを付着させる。マット材にバインダを付着させることで、無機繊維同士の交絡構造をより強固なものとすることができるとともに、マット材の嵩高さを抑えることができる。バインダの添着量としては、マット材の重量を基準として、０．０１〜１０．０％が望ましい。０．０５〜３．０％がさらに望ましく、０．１〜１．５％の範囲が最も望ましい。
【００７１】
バインダとしては、アクリル系ラテックスやゴム系ラテックス等を水に分散させて調製したエマルジョンを用いることができる。このバインダをスプレー等を用いてマット材全体に均一に吹きかけて、バインダをマット材に付着させる。また、上記バインダは有機成分であるが、アルミナ粒子などを含んでいる無機バインダも上記有機バインダと一緒に使用しても良く、上記有機バインダを使用せずに無機バインダのみの使用でも良い。
【００７２】
その後、バインダ中の水分を除去するために、マット材を乾燥させる。乾燥条件としては、例えば、９５〜１５０℃で１〜３０分間乾燥させればよい。乾燥工程を経ることでマット材を作製することができる。乾燥は通気乾燥機を使用することが望ましい。通気乾燥機を使用することでマット材の乾燥速度が増加し、さらにマット材の厚さ方向にバインダの添着量が一様にならずに樹脂のマイグレーションにより分布ができる。例えば、通気乾燥機の通気速度や温度など様々な条件設定により、マット材の厚み方向中央部に樹脂量を多く、または少なくするなどの分布調節をすることも可能である。
また、圧縮や減圧環境下の乾燥でも可能であり、乾燥時間を削減することができる。
【００７３】
次に、打ち抜き工程を行い、例えば、図４に示すような形状のマットを作製する。
図５は、上記排ガス浄化装置の製造工程におけるマット巻付け工程を模式的に示した斜視図であり、図６は、本発明の排ガス浄化装置の製造方法におけるケーシング用部材配置工程を模式的に示した断面図である。
【００７４】
上記マット巻付け工程では、図４に示す形状のマット４０を作製した後、排ガス処理体２０の側面にマット４０を巻き付け、図５に示す巻付体５０を作製する。
【００７５】
次に、ケーシング用部材配置工程として、図６に示すように、ケーシング３０の連結部３２ａと同数（４個）のケーシング用部材１００であって、湾曲部１０２０ａを有するとともに接合用合わせ部１０１を有するものを、湾曲部１０２０ａがマット４０を押し付け、隣り合うケーシング用部材１００の接合用合わせ部１０１が互いに対向するように配置する。
【００７６】
上記ケーシング用部材配置工程においては、４個のケーシング用部材１００を上述のように配置した後、配置した排ガス処理体２０の長手方向に垂直な方向の断面がＴ字形状の４個の押し付け部材１０５を用いて、４個のケーシング用部材１００の湾曲部１０２０ａがマット４０を押し付けるように押し付け部材１０５を配置する。押し付け部材１０５をマット４０に押し付ける圧力は、２５〜１０００ｋＰａが望ましく、２５０〜４５０ｋＰａがより望ましい。
【００７７】
次に、接合工程として、隣り合うケーシング用部材１００の接合用合わせ部１０１を溶接等により接合してケーシング３０を作製する。
その際、対向する接合用合わせ部１０１の間にマット４０の一部を挿入し、マット４０が接合用合わせ部１０１の間に挿入された状態で接合を行う。これにより、製造された排ガス浄化装置１０では、排気ガスが排ガス浄化装置１０の内部を流通しているときに、作製されたケーシング３０のコーナー部３１ａの近傍で排気ガスが漏れるのを防止することができる。
【００７８】
上記方法により製造された排ガス浄化装置の製造方法では、湾曲部を有するとともに接合用合わせ部を有するケーシング用部材を、上記湾曲部がマットを押し付け、隣り合う上記ケーシング用部材の上記接合用合わせ部が互いに対向するように配置した後、上記ケーシング用部材の上記接合用合わせ部を接合してケーシングを作製するので、マットにスプリングバックが発生しにくく、得られた排ガス浄化装置では、適切にマットを介して排ガス処理体に圧力をかけて保持することができ、排ガス処理体に対する一定の保持力を維持することができる。
【００７９】
図７は、本発明の排ガス浄化装置の別の一例を模式的に示す断面図である。
図７に示すように、この排ガス浄化装置２００を構成する排ガス処理体２２０は、排ガス処理体２２０の長手方向に対して垂直な断面の輪郭が、３個のコーナー部２２６ａと３個の連結部２２７ａを有する形状である。この場合、排ガス浄化装置２００を構成するケーシング２３０も３個のコーナー部２３１ａと３個の連結部２３２ａを有する形状であり、ケーシング２３０のそれぞれの連結部２３２ａは、内側に凸となる曲線からなる湾曲部２３２０ａを有し、接合部２３１０ａで接合されている。なお、図７に示す排ガス処理体２２０の長手方向に対して垂直な断面の輪郭は、正三角形のコーナー部がＲ面取りされた形状である。また、符号２４０はマットである。
【００８０】
図には示していないが、本発明の排ガス浄化装置のさらに別の例では、排ガス浄化装置を構成する排ガス処理体の長手方向に対して垂直な断面の輪郭が５個、又は、６個のコーナー部と連結部とを有する形状であり、排ガス浄化装置を構成するケーシングの長手方向に対して垂直な断面の輪郭が５個、又は、６個のコーナー部と連結部とを有し、それぞれの連結部は、内側に凸となる曲線からなる湾曲部を有する形状であってもよい。この場合、排ガス処理体の長手方向に対して垂直な断面の輪郭は、五角形又は六角形のコーナー部が面取りされた形状となる。
【００８１】
本発明の排ガス浄化装置を構成する排ガス処理体において、連結部は、直線のみ又は曲線のみから構成されていてもよい。また、連結部は、直線と曲線との両方から構成されていてもよい。
【００８２】
以下に、本発明の排ガス浄化装置の作用効果について列挙する。
【００８３】
（１）本発明の排ガス浄化装置では、ケーシングの湾曲部に相当する部分で排ガス処理体とケーシングとの間に挿入されたマットに圧力をかけているので、適切にマットを介して排ガス処理体に圧力をかけて保持することができ、排ガス浄化装置は、排ガス処理体に対する一定の保持力を維持することができる。
【００８４】
（２）本発明の排ガス浄化装置では、（１）式で示される湾曲度が５〜９５％であると、排ガス処理体とケーシングとの間に挿入されたマットを介して排ガス処理体により適切に圧力をかけることができる。
【００８５】
（３）本発明の排ガス浄化装置で、上記ケーシングは、上記連結部と同数のケーシング用部材であって、湾曲部を有するものを接合することにより製造されていることが望ましい。
上記排ガス浄化装置において、マットが巻き付けられた排ガス処理体の周囲に湾曲部を有するケーシング用部材を配置して接合していると、上記湾曲部がマットを常に押している状態を維持できるので、スプリングバックが発生しにくく、上記スプリングバックを見込んだ過圧縮の必要がない。
【００８６】
（４）本発明の排ガス浄化装置の製造方法において、湾曲部を有するとともに接合用合わせ部を有するものを、上記湾曲部がマットを押し付け、隣り合う上記ケーシング用部材の上記接合用合わせ部が互いに対向するように配置した後、上記ケーシング用部材の上記接合用合わせ部を接合してケーシングを作製するので、マットにスプリングバックが発生しにくく、得られた排ガス浄化装置では、適切にマットを介して排ガス処理体に圧力をかけて保持することができ、排ガス処理体に対する一定の保持力を維持することができる。
【００８７】
（５）本発明の排ガス浄化装置の製造方法におけるケーシング用部材配置工程において、対向する上記接合用合わせ部の間にマットの一部を挿入すると、接合部の近傍における排ガスの漏れを確実に防止することができる。
【００８８】
（実施例）
以下に、本発明の実施形態をより具体的に開示した実施例を示すが、本発明の実施形態はこれらの実施例のみに限定されるものではない。
【００８９】
（実施例１）
アルミナ−シリカ組成を有するアルミナ繊維製の素地マットとして、組成比がＡｌ２Ｏ３：ＳｉＯ２＝７２：２８である素地マットを用意した。この素地マットに対し、ニードルパンチング処理を施すことで、嵩密度が０．２０ｇ／ｃｍ３、目付量が１５９１ｇ／ｍ２のニードルマットを作製した。
【００９０】
別途、アクリル系ラテックスを水に充分に分散させることで、アクリル系ラテックスエマルジョンを調製しておき、これをバインダとして用いた。
【００９１】
次に、ニードルマットを平面視寸法で全長１１００ｍｍ×幅１２８０ｍｍに裁断した。裁断したニードルマットのアルミナ繊維量に対し１．０重量％となるように、裁断したニードルマットに対してバインダを含浸させた。
【００９２】
その後、バインダを付着させたニードルマットを１４０℃の温度で６分間通気乾燥させることにより、マット材を作製した。
【００９３】
続いて、マット材から図４に示すような形状のマットの打ち抜きを行った。
マット材の打ち抜きは、トムソン刃及び油圧プレス機を用いて行った。
打ち抜いたマットの寸法は、長手方向の長さＬ＝５４５ｍｍ、幅Ｗ＝１１０ｍｍ、厚さＴ＝９．１ｍｍ、凹形状及び凸形状の嵌合部の長手方向の長さがＤ＝５０ｍｍである。
【００９４】
排ガス浄化フィルタとして、気孔率が４２％、大きさが３４．３ｍｍ×３４．３ｍｍ×１２０ｍｍ、セルの数（セル密度）が３１０個／ｉｎｃｈ２、セル隔壁の厚さが０．１８ｍｍ、封止部の厚みが３ｍｍの炭化ケイ素焼結体からなる複数のフィルタユニットが接着材を介して接着され、外周加工され、周囲に外周コート層が形成されたものを使用した。
具体的な排ガス浄化フィルタの長手方向に対して垂直な断面の形状は、１辺が１４５ｍｍの四角形をコーナー部が半径３０ｍｍの円弧によりＲ面取りされた形状である。
上記形状の排ガス浄化フィルタに上述の特性を有するマットを巻き付けた。
【００９５】
次に、図６に示すように、ケーシング用部材配置工程として、４個のケーシング用部材１００であって、湾曲部１０２０ａを有するとともに接合用合わせ部１０１を有するものを、湾曲部１０２０ａがマット４０を押し付け、隣り合うケーシング用部材１００の接合用合わせ部１０１が互いに対向するように配置した。
ケーシング用部材の具体的な形状は、コーナー部が半径約３４ｍｍの円弧によりＲ面取りされた形状であり、（１）式中のＤ１は、０．５ｍｍであり、（１）式で示される湾曲度は、１１％であった。また、図１（ａ）に示されている点Ｐと排ガス処理体２０の連結部２７ａとの距離は、４．５ｍｍであった。
【００９６】
この後、排ガス処理体２０の長手方向に垂直な断面が４個のＴ字形状の押し付け部材１０５を用いて、４個のケーシング用部材１００の湾曲部１０２０ａがマット４０を押し付けるように押し付け部材１０５を配置した。押し付け部材１０５をマット４０に押し付ける圧力は、２５０〜４５０ｋＰａであった。
【００９７】
押し付け部材１０５をマット４０に押し付ける直前に、対向する接合用合わせ部１０１の間にマット４０の一部を挿入し、その状態で接合を行った。
【００９８】
このようにして製造された排ガス浄化装置をエンジンの排気管に配置し、排気ガスを導入して、１００時間運転を行ったが、同様の排ガス処理体を使用した従来から用いられている排ガス浄化装置と同様に、パティキュレートの漏れはなく、排ガス処理体も、マットに保持された当初の位置からの移動も観察されなかった。
【符号の説明】
【００９９】
１０、２００  排ガス浄化装置
２０、２２０  排ガス処理体（排ガスフィルタ）
２０ａ  排ガス流入側端面
２０ｂ  排ガス流出側端面
２１  セル
２２  セル隔壁
２３  目封止部
２４  外周コート層
２５  輪郭
２６ａ、２２６ａ  排ガス処理体のコーナー部
２７ａ、２２７ａ  排ガス処理体の連結部
２８ａ  曲線
２９ａ  直線
３０、２３０  ケーシング
３１ａ、２３１ａ  ケーシングのコーナー部
３２ａ、２３２ａ  ケーシングの連結部
３５  空隙
４０  マット
４１、４２  端面
４１ａ  凸部
４２ａ  凹部
５０  巻付体
１００  ケーシング用部材
１０１  接合用合わせ部
１０５  押し付け部材
３１０ａ、２３１０ａ  接合部
３２０ａ、２３２０ａ  湾曲部
１０２０ａ  湾曲部
【図１】
0006346499.tif 000002
【図２】
0006346499.tif 000003
【図３】
0006346499.tif 000004
【図４】
0006346499.tif 000005
【図５】
0006346499.tif 000006
【図６】
0006346499.tif 000007
【図７】
0006346499.tif 000008